(57)【要約】【課題】  係止片の決定の自由度が高い包装体を提供する。【解決手段】  包装体１３はその間に製品を収納する第１シート体１５と第２シート体１６とから構成される。第１シート体１５は、第１ベースシート１７と第１ベースシート１７の上方の一辺に折り返し自在に接続された上部折返片１８と第１ベースシート１７と上部折返片１８との境界位置に沿うように形成されたスリット１９とを備えている。第２シート体１６は、第２ベースシート２１と第２ベースシート２１に接続され、第２シート体１６を第１シート体１５に重ね合わせた時、スリット１９から突出するように係合する二重構造の係止片２２を備えたものである。これによって、係止片２２の形状等の決定の自由度が増し、陳列棒２８に陳列した際の係止片２２の信頼性が向上する。【選択図】      図２
2011042379.tif 000002
【特許請求の範囲】
【請求項１】
第１シート体と第２シート体との間に、製品を収納する包装体であって、
前記第１シート体は、
第１ベースシートと、
前記第１ベースシートの上方の一辺に折り返し自在に接続された上部折返片と、
前記第１ベースシートと前記上部折返片との境界位置に、前記一辺に沿うように形成されたスリットとを備え、
前記第２シート体は、
第２ベースシートと、
前記第２ベースシートに接続され、第２ベースシートを前記第１ベースシートに重ね合わせた時、前記スリットから突出するように係合する係止片とを備えた、包装体。
【請求項２】
前記係止片は、
前記第２ベースシートに接続する接続片と、
前記接続片に折り曲げ自在に接続され、折り返し位置において前記接続片に対して線対称形状を有する連結片と、
前記連結片に対して、前記接続片とは反対方向に接続される共に、前記スリットを通過し得ない大きさを有する拡大片とを含む、請求項１記載の包装体。
【請求項３】
前記係止片には、側辺から内方に延びる切欠が形成された、請求項２記載の包装体。
【請求項４】
前記第１シート体及び前記第２シート体は１枚の合成樹脂シートの打ち抜きによって形成され、その境界は折り曲げ自在に構成される、請求項１から請求項３のいずれかに記載の包装体。
【発明の詳細な説明】
【技術分野】
【０００１】
この発明は包装体に関し、特に薄板状の製品を収納して陳列棒に係止するための包装体に関するものである。
【背景技術】
【０００２】
図７は従来の包装体の外観形状を示した斜視図であり、図８は図７の状態から内部を開けるための展開途中の状態を示した図であり、図９は図７の包装体を完全に展開した状態を示した図である。
【０００３】
まず図９を参照して、この包装体は１枚の薄いポリプロピレンよりなる透明シートを打ち抜くことによって形成される。包装体は、第１シート体６５と第２シート体６６とが折り曲げ自在に接続されて構成されている。尚、図９において一点鎖線は谷折に折り曲げ可能な箇所を示している。
【０００４】
具体的には、第１シート体６５の上辺には弓形状の上部折返片６８が折り曲げ自在に接続されており、その頂部は長円状の舌片７０が接続されている。又、上部折返片６８の折り曲げ位置において下端が接するような矩形形状の三辺が切目７８として形成されており、これによって係止片７２が形成されている。係止片７２の中央部には挿通穴７３が形成されている。
【０００５】
一方、第２シート体６６の下方部には矩形状の開口７６が形成されており、第１シート体６５を折り返した状態でその舌片７０が係合できるように構成されている。
【０００６】
このように形成された第１シート体６５及び第２シート体６６を図８に示された状態に各部分を折り曲げる。この時、係止片７２は折り曲げず上部折返片６８のみを折り曲げると、係止片７２が図のように突き出た状態となる。
【０００７】
次に、図８の状態から第２シート体６６を上部折返片６８の折り返しの内側にセットし、上部折返片６８の舌片７０の両耳部分を第２シート体６６の開口７６に挿入することで図７に示すような完成状態となる。
使用時にあっては、図８の段階で、例えばＩＨクッキングヒーター用の下敷マットのような薄手の円盤状の製品を収納させ、図７の状態に第１シート体６５と第２シート体６６とを重ね合わせる。そして、第１シート体６５の係止片７２の挿通穴７３を陳列棒２８に挿通させることによって包装体６３を陳列する。
【先行技術文献】
【特許文献】
【０００８】
【発明の概要】
【発明が解決しようとする課題】
【０００９】
上記のような包装体にあっては、通常の使用にあっては問題が無いが、包装体に収納する製品に例えば色違い等のバリエーションがあり、これらを同一の陳列棒で陳列する時に使い勝手が悪くなる。即ち、内方に陳列されている製品を取り出そうとする場合、手前の製品を全て一旦取り出す必要があるからである。
【００１０】
図１０はこのような問題から提案された包装体の外観形状を示した斜視図である。
【００１１】
図を参照して、この包装体は基本的な構造は図７の包装体と同一であるが、係止片７２の形状が異なっている。即ち、係止片７２には図７のような挿通穴７３の代わりに側辺から内部に延びる切欠８０が形成されている。これによって内方に陳列される製品であっても、その製品だけを容易に取り出すことが可能となる。
【００１２】
しかしながら、図１０の構造でも図９に示されていたように、係止片７２は１枚の薄手のシートにより形成されているため、切欠８０を陳列棒２８に係合させた時、強度的に不安定となって製品を収納した包装体が陳列棒から落下してしまう虞がある。
【００１３】
尚、この問題は係止片７２が第１シート体に含まれる上部折返片６８の一部に切目を入れて形成されているため、その大きさ、厚さ等に制約があることに起因しているとも言える。
【００１４】
この発明は上記のような課題を解決するためになされたもので、係止片の決定の自由度の高い包装体を提供することを目的とする。
【課題を解決するための手段】
【００１５】
上記の目的を達成するために、請求項１記載の発明は、第１シート体と第２シート体との間に、製品を収納する包装体であって、第１シート体は、第１ベースシートと、第１ベースシートの上方の一辺に折り返し自在に接続された上部折返片と、第１ベースシートと上部折返片との境界位置に、一辺に沿うように形成されたスリットとを備え、第２シート体は、第２ベースシートと、第２ベースシートに接続され、第２ベースシートを第１ベースシートに重ね合わせた時、スリットから突出するように係合する係止片とを備えたものである。
【００１６】
このように構成すると、係止片は第２シート体に形成される。
【００１７】
請求項２記載の発明は、請求項１記載の発明の構成において、係止片は、第２ベースシートに接続する接続片と、接続片に折り曲げ自在に接続され、折り返し位置において接続片に対して線対称形状を有する連結片と、連結片に対して接続片とは反対方向に接続される共に、スリットを通過し得ない大きさを有する拡大片とを含むものである。
【００１８】
このように構成すると、係止片が接続片と連結片との二枚重ねの構造となる。
【００１９】
請求項３記載の発明は、請求項２記載の発明の構成において、係止片には側辺から内方に延びる切欠が形成されるものである。
【００２０】
このように構成すると、陳列棒に対して直交する方向からの係合が可能となる。
【００２１】
請求項４記載の発明は、請求項１から請求項３のいずれかに記載の発明の構成において、第１シート体及び第２シート体は１枚の合成樹脂シートの打ち抜きによって形成され、その境界は折り曲げ自在に構成されるものである。
【００２２】
このように構成すると、包装体は１枚のシートから形成される。
【発明の効果】
【００２３】
以上説明したように、請求項１記載の発明は、係止片は第２シート体に形成されるため、係止片の構造が第１シート体によって制約を受けることが無く、係止片の決定の自由度が高まる。
【００２４】
請求項２記載の発明は、請求項１記載の発明の効果に加えて、係止片が二枚重ねの構造となるため、係止片の強度が向上する。
【００２５】
請求項３記載の発明は、請求項２記載の発明の効果に加えて、陳列棒に対して直交する方向からの係合が可能となり、又、強度的に係止片に不安が無くなり、使い勝手の良い包装体となる。
【００２６】
請求項４記載の発明は、請求項１から請求項３のいずれかに記載の発明の効果に加えて、包装体は１枚のシートから形成されるため、コスト的に有利な包装体となる。
【図面の簡単な説明】
【００２７】
【図１】この発明の第１の実施の形態による包装体の外観形状を示した斜視図である。
【図２】図１の状態から内部を開けるための展開途中の状態を示した包装体の斜視図である。
【図３】図１で示した包装体を完全に展開した状態を示した図である。
【図４】図１で示したＩＶ−ＩＶラインの拡大端面図である。
【図５】図１で示したＶ−Ｖラインの拡大断面図である。
【図６】この発明の第２の実施の形態による包装体の概略形状を示した斜視図である。
【図７】従来の包装体の外観形状を示した斜視図である。
【図８】図７の状態から内部を開けるための展開途中の状態を示した包装体の斜視図である。
【図９】図７の包装体を完全に展開した状態を示した図である。
【図１０】従来の他の例による包装体の外観形状を示した斜視図である。
【発明を実施するための形態】
【００２８】
図１はこの発明の第１の実施の形態による包装体の外観形状を示した斜視図であり、図２は図１の状態から内部を開けるための展開途中の状態を示した斜視図であり、図３は図１で示した包装体を完全に展開した状態を示した図である。
【００２９】
まず図３を参照して、包装体１３は、１枚の薄いポリプロピレンよりなる透明シートを打ち抜くことによって形成される。包装体１３は第１シート体１５と第２シート体１６が折り曲げ自在に接続されて構成されている。尚、図３において一点鎖線は谷折に折り曲げ可能な箇所を示している。
【００３０】
具体的には、第１シート体１５はほぼ正方形形状の第１ベースシート１７と、第１ベースシート１７の左右両辺の各々に接続されている側部折返片２５ａ，側部折返片２５ｂと、第１ベースシート１７の上辺に接続されている弓形状の上部折返片１８と、上部折返片１８の頂部に接続されている、横方向に長い長円形状の舌片２０とから構成されている。尚、第１ベースシート１７と上部折返片１８との境界の辺には、この辺に沿うようにほぼ中央部にスリット１９が打ち抜かれて形成されている。
【００３１】
一方、第２シート体１６は、第１ベースシート１７にほぼ対応する大きさであるが、若干下方に行くにつれて先細りとなっている第２ベースシート２１と、第２ベースシート２１の下辺のほぼ中央に接続されており、その接続幅がスリット１９の横幅にほぼ一致する逆台形形状の接続片３１と、接続片３１の下辺に折り返し自在に接続され、この折り返し位置において接続片３１に対して線対称形状を有する台形形状の連結片３２と、連結片３２の下辺に対して接続片３１とは反対方向に接続されると共に、その幅方向の長さが第１シート体１５のスリット１９の横幅に対して大きな寸法に設定されている拡大片３４とから構成されている。
【００３２】
尚、第２ベースシート２１の下方部中央には、第１シート体１５を第２シート体１６に対して折り返した状態で、その舌片２０が係合する大きさの矩形形状の開口２６が形成されている。
【００３３】
次に、図３の状態から図２の状態にセットする手順について説明する。
【００３４】
まず、第１シート体１５にあっては、第１ベースシート１７に対してその両側に位置する側部折返片２５ａ，側部折返片２５ｂを内方に折り返す。次に、第１ベースシート１７の上方に位置する上部折返片１８を舌片２０と共に内方側に折り返す。すると、スリット１９は図２に示されているように上部折返片１８の折返辺に沿って露出することになる。
【００３５】
次に、第２シート体１６にあっては、接続片３１に対して連結片３２及び拡大片３４を一体として内方に折り返して係止片２２を形成する。この時、接続片３１に形成されている、側辺から内方に延びる切欠２３ａと、連結片３２に形成されている切欠２３ｂとは折返辺に対して線対称に形成されている。そのため、連結片３２を接続片３１に折り返した状態にあっては、切欠２３ａと切欠２３ｂとは図２に示すように重なり合うことになる。
【００３６】
このようにして図３から図２の状態に折り畳んだ後、第２シート体１６の上部を第１シート体１５の上部折返片１８の内側に潜り込ませ、係止片２２をスリット１９から突出するように係合させる。この時、第２ベースシート２１の下辺は第１ベースシート１７の上辺の長さにほぼ対応し、且つ、第２シート体１６の拡大片３４の幅方向の長さは、上述のようにスリット１９の長さより大きくなるように設定されている。従って、係止片２２をスリット１９に挿通させると、第２ベースシート２１や拡大片３４が上部折返片１８の折返位置の内面に当接した状態となり、係止片２２の更なる進行が停止することになる。
【００３７】
第２シート体１６の係止片２２のスリット１９への挿通が終了すると、第１シート体１５の舌片２０を第２シート体１６の開口２６にその両耳部分を挿入することによって図１に示すような完成状態となる。
【００３８】
使用時にあっては、図２の段階で、従来例と同様に例えばＩＨクッキングヒーター用の下敷マットのような薄手の円盤状の製品を収納させ、図１の状態に第１シート体１５と第２シート体１６とを重ね合わせる。そして、係止片２２の切欠２３の部分を陳列棒２８に係合させることによって包装体１３が陳列され、その陳列状態から容易に包装体１３を取り出すことが可能となる。
【００３９】
図４は図１で示したＩＶ−ＩＶラインの拡大端面図であり、図５は図１で示したＶ−Ｖラインの拡大断面図である。
【００４０】
これらの図を参照して、包装体１３を陳列棒２８に係合させた状態にあっては、陳列棒２８の上部に接続片３１及び連結片３２が接触した状態となっている。このように係止片２２は二枚重ねの状態で陳列棒２８に係合することになり、強度が向上し、使用状態の信頼性が増すことになる。又、図５に示されているように、第１ベースシート１７から上部折返片１８への折り返し部分の下面には第２ベースシート２１及び拡大片３４の各々の端部が当接した状態となり、係止片２２の二重構造と相俟ってより信頼性の高い構造となる。
【００４１】
尚、これらの構造に加えて、接続片３１、連結片３２の形状を矩形形状ではなく台形形状に設定しているため、切欠２３ａ，切欠２３ｂの形成辺に対して反対側の傾斜辺の構造によって係止片２２の全体の強度が更に向上する。
【００４２】
このように接続片３１及び連結片３２の構造、そして拡大片３４の構造が係止片２２として自由に選択できるのは、従来例のように第１シート体１５を打ち抜いて形成するものではなく、第２シート体１６に対して付加的に形成されている構造となっているためである。
【００４３】
図６はこの発明の第２の実施の形態による包装体の外観形状を示した斜視図である。
【００４４】
図を参照して、包装体１３の構造は先の第１の実施の形態による包装体と基本的に同一であるが、係止片２２の形状のみが異なっている。係止片２２が接続片３１と連結片３２との二枚重ねで構成されている点は先の実施の形態と同一であるが、先の実施の形態の切欠２３の代わりに従来例のような挿通穴３６ａ，挿通穴３６ｂが形成されている。このような構造であっても、係止片２２の強度が従来例に比べて格段に向上し、包装体１３自体の陳列棒２８への係合時の信頼性を向上する。
【００４５】
尚、上記の各実施の形態では、第１シート体と第２シート体とは一枚の合成樹脂シートから一体的に形成されているが、これらは別体のものであっても良い。
【００４６】
又、上記の各実施の形態では、係止片は２枚重ねの構造となっているが、１枚構造のものであっても良い。
【００４７】
更に、上記の各実施の形態では、係止片は２枚重ねの構造となっているが、３枚重ね以上の構造にしても良い。この場合、各構成片同士を接着剤等で貼り合わせればより使い勝手が向上する。
【００４８】
更に、上記の各実施の形態では、連結片及び拡大片は内方側に折り返しているが、外方側に折り返しても同様の効果を奏する。
【００４９】
更に、上記の各実施の形態では、係止片は包装体に付き一箇所としているが２箇所以上としても良い。
【００５０】
更に、上記の各実施の形態では、包装体を合成樹脂シートから形成しているが、紙シート等の他のシート材料であっても折り返し自在なものであれば同様に適用できる。
【００５１】
更に、上記の各実施の形態では、包装体は矩形シート状に構成されているが、他の形状の包装体にも同様に適用できる。
【符号の説明】
【００５２】
１３…包装体
１５…第１シート体
１６…第２シート体
１７…第１ベースシート
１８…上部折返片
１９…スリット
２１…第２ベースシート
２２…係止片
２３…切欠
３１…接続片
３２…連結片
３４…拡大片
尚、各図中同一符号は同一又は相当部分を示す。
【図１】
2011042379.tif 000003
【図２】
2011042379.tif 000004
【図３】
2011042379.tif 000005
【図４】
2011042379.tif 000006
【図５】
2011042379.tif 000007
【図６】
2011042379.tif 000008
【図７】
2011042379.tif 000009
【図８】
2011042379.tif 000010
【図９】
2011042379.tif 000011
【図１０】
2011042379.tif 000012